(57)【要約】【課題】  本発明は、監視対象に対する犯罪行為に繋がる行動や利用方法に困っている行動を未然に検出することのできるモニタリングシステム及びその制御方法を提供することを目的とする。【解決手段】  監視対象を監視するためのモニタリングシステムにおいて、前記監視対象を撮影し、画像情報及び被写体までの距離情報を含む距離画像データを生成する撮影部と、生成された前記距離画像データから画像中の人物を抽出する抽出部と、抽出した前記人物が対応を必要とする人物であるか否かを判断する判断部と、を備えるようにした。【選択図】図７
2020145524.tif 000002
【特許請求の範囲】
【請求項１】
監視対象を監視するためのモニタリングシステムにおいて、
前記監視対象を撮影し、画像情報及び被写体までの距離情報を含む距離画像データを生成する撮影部と、
生成された前記距離画像データに基づいて画像中の人物を抽出する抽出部と、
抽出した前記人物が対応を必要とする人物であるか否かを判断する判断部と、を備えたことを特徴とするモニタリングシステム。
【請求項２】
請求項１に記載のモニタリングシステムにおいて、前記判断部は、対応を必要とする人物であると判断される前記人物の行動が誤認を防止し得る所定の時間以上続いたときに、前記人物が対応を必要とする人物であると判断することを特徴とするモニタリングシステム。
【請求項３】
請求項１または２に記載のモニタリングシステムにおいて、前記監視対象の周囲に警戒領域を予め設定し、前記判断部は、前記人物が前記警戒領域内に位置するときに、対応を必要とする人物であると判断することを特徴とするモニタリングシステム。
【請求項４】
請求項１乃至３のいずれか１項に記載のモニタリングシステムにおいて、前記判断部は、前記人物の高さ方向の長さが、前記人物がしゃがんでいると判断できる所定の長さ以下であるときに、不審であると判断することを特徴とするモニタリングシステム。
【請求項５】
請求項１乃至４のいずれか１項に記載のモニタリングシステムにおいて、前記判断部は、複数の前記人物を抽出したときに、前記人物が対応を必要とする人物であると判断することを特徴とするモニタリングシステム。
【請求項６】
請求項１乃至５のいずれか１項に記載のモニタリングシステムにおいて、前記抽出部は、前記距離画像データに対応する画像内で動いている物体を楕円に置き換えて、前記人物を抽出することを特徴とするモニタリングシステム。
【請求項７】
請求項６に記載のモニタリングシステムにおいて、前記抽出部は、前記楕円の大きさに基づいて、前記人物を抽出することを特徴とするモニタリングシステム。
【請求項８】
請求項６または７に記載のモニタリングシステムにおいて、前記抽出部は、前記楕円の形状に基づいて前記人物を抽出することを特徴とするモニタリングシステム。
【請求項９】
請求項１乃至８のいずれか１項に記載のモニタリングシステムにおいて、前記抽出部は、前記監視対象を上方から見た画像に対応する上面画像データを前記距離画像データに基づいて生成することを特徴とするモニタリングシステム。
【請求項１０】
請求項１乃至９のいずれか１項に記載のモニタリングシステムにおいて、前記監視対象は駐車場の精算機であることを特徴とするモニタリングシステム。
【請求項１１】
監視対象を監視するためのモニタリングシステムの制御方法において、
前記監視対象を撮影し、画像情報及び被写体までの距離情報を含む距離画像データを生成するステップと、
生成された前記距離画像データに基づいて画像中の人物を抽出するステップと、
抽出した前記人物が対応を必要とする人物であるか否かを判断するステップと、を備えたことを特徴とするモニタリングシステムの制御方法。
【請求項１２】
請求項１１に記載のモニタリングシステムの制御方法において、前記判断するステップは、対応を必要とする人物であると判断される前記人物の行動が誤認を防止し得る所定の時間以上続いたときに、前記人物が対応を必要とする人物であると判断することを特徴とするモニタリングシステムの制御方法。
【請求項１３】
請求項１１または１２に記載のモニタリングシステムの制御方法において、前記監視対象の周囲に警戒領域を予め設定し、前記判断するステップは、前記人物が前記警戒領域内に位置するときに、対応を必要とする人物であると判断することを特徴とするモニタリングシステムの制御方法。
【請求項１４】
請求項１１乃至１３のいずれか１項に記載のモニタリングシステムの制御方法において、前記判断するステップは、前記人物の高さ方向の長さが、前記人物がしゃがんでいると判断できる所定の長さ以下であるときに、対応を必要とする人物であると判断することを特徴とするモニタリングシステムの制御方法。
【請求項１５】
請求項１１乃至１４のいずれか１項に記載のモニタリングシステムの制御方法において、前記判断するステップは、複数の前記人物を抽出したときに、前記人物が対応を必要とする人物であると判断することを特徴とするモニタリングシステムの制御方法。
【請求項１６】
請求項１１乃至１５のいずれか１項に記載のモニタリングシステムの制御方法において、前記抽出するステップは、前記距離画像データに対応する画像内で動いている物体を楕円に置き換えて、前記人物を抽出することを特徴とするモニタリングシステムの制御方法。
【請求項１７】
請求項１６に記載のモニタリングシステムの制御方法において、前記抽出するステップは、前記楕円の大きさに基づいて、前記人物を抽出することを特徴とするモニタリングシステムの制御方法。
【請求項１８】
請求項１６または１７に記載のモニタリングシステムの制御方法において、前記抽出するステップは、前記楕円の形状に基づいて前記人物を抽出することを特徴とするモニタリングシステムの制御方法。
【請求項１９】
請求項１１乃至１８のいずれか１項に記載のモニタリングシステムの制御方法において、前記抽出するステップは、前記監視対象を上方から見た画像に対応する上面画像データを前記距離画像データに基づいて生成することを特徴とするモニタリングシステムの制御方法。
【請求項２０】
請求項１１乃至１９のいずれか１項に記載のモニタリングシステムの制御方法において、前記監視対象は駐車場の精算機であることを特徴とするモニタリングシステムの制御方法。
【発明の詳細な説明】
【技術分野】
【０００１】
本発明は、監視対象を監視するためのモニタリングシステム及びその制御方法に関する。
【背景技術】
【０００２】
従来、コインパーキング内の状況、特に精算機を監視対象として監視するために用いられるモニタリングシステムが知られている（例えば、特許文献１参照）。この種のモニタリングシステムは、コインパーキングで用いられる際には、コインパーキング内の様子をカメラで撮影し、遠隔地にて駐車場管理者が監視したり録画したりしていた。また、コインパーキングは通常、２４時間運営の為、駐車場管理者や機械メーカーは２４時間のトラブル対応が必要である。
【先行技術文献】
【特許文献】
【０００３】
【特許文献１】特開２００６−２９５３６６
【発明の概要】
【発明が解決しようとする課題】
【０００４】
しかしながら、上記従来の技術によるモニタリングシステムでは、迅速なトラブル対応のために駐車場管理者が小まめにモニタを介してコインパーキング内の様子を確認する必要があるため、体力面及び精神面の負担が大きかった。
【０００５】
また、精算機内の現金を狙った犯罪が発生した場合、未遂に終わった場合も含めて犯罪行為により精算機等の機械装置が破壊されるケースが少なくなく、修理等に伴う費用面の負担も大きかった。更に修理対応中はコインパーキングの閉鎖が必要となり、売上損失にも繋がっていた。
【０００６】
さらに、コインパーキングでは犯罪対応の課題と合わせて、精算機の利用方法が分からない、といった利用者からの問い合わせ件数も少なくない。駐車場管理者は問い合わせに対し、電話にて対応を行っているが、２４時間対応の為体力面及び精神面の負担が大きい。また、駐車場管理者が小まめにモニタを確認して利用方法に困っている利用者の有無を監視することも可能であるが、上記同様２４時間対応の負担が大きい。
【０００７】
本発明の目的は、上述した従来の技術が有する課題を解消し、監視対象に対する犯罪行為に繋がる行動や利用方法に困っている行動を未然に検出することのできるモニタリングシステム及びその制御方法を提供することにある。
【課題を解決するための手段】
【０００８】
本発明は、監視対象を監視するためのモニタリングシステムにおいて、前記監視対象を撮影し、画像情報及び被写体までの距離情報を含む距離画像データを生成する撮影部と、生成された前記距離画像データに基づいて画像中の人物を抽出する抽出部と、抽出した前記人物が対応を必要とする人物であるか否かを判断する判断部と、を備えたことを特徴とする。
【０００９】
この場合において、前記判断部は、対応を必要とする人物であると判断される前記人物の行動が誤認を防止し得る所定の時間以上続いたときに、前記人物が対応を必要とする人物であると判断してもよい。前記監視対象の周囲に警戒領域を予め設定し、前記判断部は、前記人物が前記警戒領域内に位置するときに、対応を必要とする人物であると判断してもよい。前記判断部は、前記人物の高さ方向の長さが、前記人物がしゃがんでいると判断できる所定の長さ以下であるときに、対応を必要とする人物であると判断してもよい。前記判断部は、複数の前記人物を抽出したときに、前記人物が対応を必要とする人物であると判断してもよい。前記抽出部は、前記距離画像データに対応する画像内で動いている物体を楕円に置き換えて、前記人物を抽出してもよい。前記抽出部は、前記楕円の大きさに基づいて、前記人物を抽出してもよい。前記抽出部は、前記楕円の形状に基づいて前記人物を抽出してもよい。前記抽出部は、前記監視対象を上方から見た画像に対応する上面画像データを前記距離画像データに基づいて生成してもよい。前記監視対象は駐車場の精算機であってもよい。
【００１０】
また、本発明は、監視対象を監視するためのモニタリングシステムの制御方法において、前記監視対象を撮影し、画像情報及び被写体までの距離情報を含む距離画像データを生成するステップと、生成された前記距離画像データに基づいて画像中の人物を抽出するステップと、抽出した前記人物が対応を必要とする人物であるか否かを判断するステップと、を備えたことを特徴とする。
【００１１】
この場合において、前記判断するステップは、対応を必要とする人物であると判断される前記人物の行動が誤認を防止し得る所定の時間以上続いたときに、前記人物が対応を必要とする人物であると判断してもよい。前記監視対象の周囲に警戒領域を予め設定し、前記判断するステップは、前記人物が前記警戒領域内に位置するときに、対応を必要とする人物であると判断してもよい。前記判断するステップは、前記人物の高さ方向の長さが、前記人物がしゃがんでいると判断できる所定の長さ以下であるときに、対応を必要とする人物であると判断してもよい。前記判断するステップは、複数の前記人物を抽出したときに、前記人物が対応を必要とする人物であると判断してもよい。前記抽出するステップは、前記距離画像データに対応する画像内で動いている物体を楕円に置き換えて、前記人物を抽出してもよい。前記抽出するステップは、前記楕円の大きさに基づいて、前記人物を抽出してもよい。前記抽出するステップは、前記楕円の形状に基づいて前記人物を抽出してもよい。前記抽出するステップは、前記監視対象を上方から見た画像に対応する上面画像データを前記距離画像データに基づいて生成してもよい。前記監視対象は駐車場の精算機であってもよい。
【発明の効果】
【００１２】
本発明では、監視対象に対する犯罪行為に繋がる行動や利用方法に困っている行動を未然に検出することのできるモニタリングシステム及びその制御方法を提供することができる。
【図面の簡単な説明】
【００１３】
【図１】本実施形態に係るモニタリングシステムが適用された駐車場管理システムを示す模式図を示す。
【図２】本実施形態に係るモニタリングシステムのブロック図を示す。
【図３】不審な人物がいるときの駐車場の様子の画像を示す。
【図４】抽出画像データに対応する画像を示す。
【図５】警戒領域に不審な人物がいるときの画像を示す。
【図６】カメラ設置位置計算ソフトウェアを用いる際の処理を示す。
【図７】モニタリングソフトウェアによる不審な人物の検出処理のフローチャートの１例を示す。
【発明を実施するための形態】
【００１４】
以下、図面を参照して、本発明の好適な実施の形態について説明する。
図１は、本実施形態に係るモニタリングシステムが適用された駐車場管理システムを示す模式図を示す。
本実施形態に係るモニタリングシステム１０が適用された駐車場管理システム１００は、図１に示すように、精算機１、スピーカ２、通信機器３、カメラ（撮影部）１１、及び情報処理端末１２が配置されたコインパーキングである駐車場Ｐと、駐車場Ｐから離れた場所にあり、パソコンである端末４が配置されたコールセンターＣと、駐車場Ｐ及びコールセンターＣから離れた場所にある警備会社Ｓとからなる。
【００１５】
精算機１は、駐車場の使用料を精算するための装置であり、本実施形態に係るモニタリングシステム１０の監視対象である。
【００１６】
スピーカ２は、コールセンターＣの端末４等に電気的にまたは通信により接続されており、コールセンターＣから出力された信号を音に変換して出力するように設けられている。
【００１７】
情報処理端末１２は、カメラ１１と電気的に接続されており、カメラ１１で撮影した被写体が対応を必要とする人物であるか否か、すなわち不審であるか否かを判断し、判断結果を通信機器３に出力するようになっている。なお、本実施形態では情報処理端末１２を駐車場Ｐ内に配置されており、駐車場Ｐで情報処理端末１２が不審者であると判断したときのみにその旨をコールセンターＣに通知すればよいため、コールセンターＣに配置する場合に比べて、駐車場ＰとコールセンターＣとの通信量を少なくすることができるようになっている。
【００１８】
通信機器３は、情報処理端末１２と電気的に接続されており、コールセンターＣの端末４と通信して、情報処理端末１２の判断結果をコールセンターＣの端末４に送信するように設けられている。
【００１９】
図２は、本実施形態に係るモニタリングシステムのブロック図を示す。図３は、不審な人物がいるときの駐車場の様子の画像を示す。図４は、抽出画像データに対応する画像を示す。図５は、警戒領域に不審な人物がいるときの画像を示す。図３において、図３（ａ）は、距離画像データに対応する画像を示し、図３（ｂ）は、上面画像データに対応する画像を示す。また、図５において、図５（ａ）は距離画像データに対応する画像を示し、図５（ｂ）は、抽出画像データに対応する画像を示す。
【００２０】
モニタリングシステム１０は、駐車場Ｐ（図１参照）に設置されて精算機の監視に用いられ、図１に示すように、カメラ１１と情報処理端末１２とを備えている。この情報処理端末１２は、図２に示すように、入力部１３、画像処理部１４、抽出部１５、判断部１６、出力部（通信部）１７、演算部１８、及び記憶部１９を有している。
【００２１】
カメラ１１は、図１に示すように、駐車場Ｐに設置されて精算機１及びその周辺を撮影している。カメラ１１は、精算機１や精算機１近傍にいる人物Ａや車両等を斜め上方から撮影可能な位置に設置されている。カメラ１１は、ＲＧＢＤカメラ等であり、図３（ａ）に示すような被写体の二次元画像を撮影するとともに奥行き、すなわち被写体までの距離を計測して、画像情報及び被写体までの距離情報を含む距離画像データを生成するように設けられている。カメラ１１は、図２に示すように、生成した距離画像データを駐車場Ｐに設置された情報処理端末１２の入力部１３に送信する。尚、監視対象が撮像できれば、カメラ位置は精算機の上部等、どこでも良い。
【００２２】
入力部１３は、カメラ１１（図１参照）と通信可能に設けられた通信装置である。入力部１３は、カメラ１１との通信により距離画像データを受信すると、受信した距離画像データを画像処理部１４に出力する。
【００２３】
画像処理部１４は、画像データを加工処理可能に設けられている。具体的には、画像処理部１４は、画像から不要な部分を取り除いたり、斜視図を上面図に変換するように画像データを加工処理したりすることができる。これにより、画像処理部１４は、カメラ１１が斜め上方から撮影した画像の監視対象の範囲設定、また、不要な背景部分を取り除くとともに、図３（ｂ）に示すように、監視対象である精算機１及びその周辺を真上から見たように見える画像になるように距離画像データを加工処理して上面画像データを生成することができる。なお、距離画像データは、精算機１や人物Ａを斜め上方から撮影して生成されているため、精算機１や人物Ａの影になる後ろ側の様子は上面画像データに対応する画像には表されていない。画像処理部１４は、図２に示すように、生成した上面画像データを抽出部１５に送るように設けられている。尚、影になる箇所を排除する為、カメラを上部に設置し、監視対象を上部から撮像しても良い。
【００２４】
抽出部１５は、画像処理部１４から取得した上面画像データから、画像中の人物を抽出する。具体的には、抽出部１５は、図４に示すように、上面画像データに対応する画像内で動いている物体、すなわち被写体を楕円に置き換えて単純化する。このとき、画像内で動いている物体が車の場合の楕円の形状は大きくて円形状に近い楕円となるが、人物Ａの場合は車よりも小さく、楕円の長軸が人物Ａの両肩を通る細長い楕円となる。抽出部１５は、被写体を楕円に置き換えることにより、上方から見た駐車場Ｐ内の精算機１と人物Ａとの位置関係を単純化することができる。なお、抽出部１５は、距離画像データから直接的に人物等を抽出してもよい。また、図４中に示す数値ｈは、距離画像データに含まれていた距離情報に基づいて算出した人物Ａの高さを示している。
【００２５】
抽出部１５は、楕円の大きさ及び形状に基づいて人物Ａを抽出すると、抽出画像データを生成する。抽出部１５は、図２に示すように、生成した抽出画像データを判断部１６に出力するように設けられている。
【００２６】
判断部１６は、抽出部１５から取得した抽出画像データを参照し、抽出部１５で抽出した人物Ａが不審であるか否かを判断する。より具体的には、判断部１６は、人物Ａの高さ方向の長さ、すなわち実際の駐車場Ｐの鉛直方向の長さが、人物Ａがしゃがんでいると判断できる所定の長さ以下であるときに不審であると判断する。
【００２７】
また、判断部１６は、監視対象である精算機１の側方及び後方を囲むように警戒領域Ｒ（図５（ｂ）参照）を予め設定し、図５（ａ）に示すように、駐車場Ｐ内の人物Ａが精算機１の側方等にいるとき、すなわち警戒領域Ｒ内にいるときに不審であると判断するようになっている。このとき、抽出画像データに対応する画像では、図５（ｂ）に示すように、人物Ａが警戒領域Ｒ内にいることが明確にわかる。
【００２８】
さらに、判断部１６は、複数の人物Ａを抽出したときにこれらの人物Ａが不審であると判断するようになっている。
【００２９】
ここで、判断部１６は、実際は不審ではない人物Ａを誤認により不審であると判断してしまうことを防止すべく、不審であると判断される人物Ａの行動が誤認を防止し得る所定の時間以上続いたとき、例えば、不審であると判断してから一定時間以上経過したときに人物Ａが不審であると判断するようになっている。
【００３０】
出力部１７は、図１に示すように、通信機器３と通信してアラートを出力可能に設けられており、本実施形態に係る出力部１７は通信機器３を介してコールセンターＣに設置された端末４と通信するように設けられている。抽出部１５で抽出した人物Ａが不審であると判断部１６が判断したときに、コールセンターＣに配置された端末４にその旨を通知するようになっている。これにより、端末４を介して通知を受けたコールセンターＣにいる人は、例えば、カメラ１１やカメラ１１とは別の監視カメラを使用して駐車場Ｐの状況を確認し、必要に応じて警備会社Ｓや管理会社へ通報を行うことができる。このとき、コールセンターＣにいる人は、駐車場Ｐに設置されたスピーカ２から不審者であると判断された人物Ａに音声による警告を発したり、ＬＥＤ回転灯等を用いた光による警告を行ったりすることができるようになっている。
【００３１】
演算部１８は、演算を行うためのＣＰＵであり、図２に示すように、情報処理端末１２内に搭載されて、入力部１３、画像処理部１４、抽出部１５、判断部１６、出力部１７、及び記憶部１９と接続されている。演算部１８は、記憶部１９に格納されたソフトウェアを読み出し、読み出したソフトウェアに従って入力部１３、画像処理部１４、抽出部１５、判断部１６、及び出力部１７を制御するように設けられている。
【００３２】
記憶部１９は、ＲＯＭやＲＡＭ等の記憶媒体であり、情報処理端末１２に内蔵または接続されて演算部１８に接続されている。記憶部１９は、カメラ１１の設置時や、カメラ１１の位置が動いた場合に用いられるためのカメラ設置位置計算ソフトウェアと、設置されたカメラ１１でモニタリングする際に用いられるモニタリングソフトウェアとを格納している。なお、カメラ１１やカメラ１１とは別の監視カメラで得られた画像を記憶部１９に記憶してもよい。また、記憶部が複数あり、カメラ１１やカメラ１１とは別の監視カメラに記憶部が内蔵または接続されてもよい。
【００３３】
以下、カメラ設置位置計算ソフトウェアについて説明する。
図６は、カメラ設置位置計算ソフトウェアを用いる際の処理を示す。図６において、図６（ａ）は、距離画像データに対応する画像を示し、図６（ｂ）は上面画像データに対応する画像を示している。
【００３４】
カメラ設置位置計算ソフトウェアは、カメラ１１の新規設置時や、カメラ１１の位置や方向がずれた場合に使用される。本ソフトウェアは、精算機１とカメラ１１との相対的な位置関係を計算するようになっている。
【００３５】
カメラ設置位置計算ソフトウェアを用いる際には、先ず、図６（ａ）に示すように、距離画像データに対応する距離画像をパソコン等のモニタ画面に表示させ、距離画像内に示された地表の任意の４つの点ｐ１，ｐ２，ｐ３，ｐ４を操作者がマウスを用いてクリックし、位置情報として登録させる。
【００３６】
地表の任意の４点を登録すると、次に操作者は精算機１上の任意の１つの点ｐ５及び精算機１の前方の任意の１つの点ｐ６をクリックし、位置情報として登録させる。
【００３７】
地表の任意の４つの点ｐ１，ｐ２，ｐ３，ｐ４、精算機１上の１つの点ｐ５、及び精算機１の前方の１つの点ｐ６が登録されると、演算部１８は、登録されたこれらの点ｐ１乃至ｐ６の位置情報に基づいて、精算機１に対するカメラ１１の位置及び方向を自動的に計算し、カメラ位置情報として記憶部１９に記憶させる。これにより、駐車場Ｐに対応する画像内の距離画像データにおける座標が設定され、図６（ｂ）に示すように、上方から見た画像に変換して表示させたときに、精算機１を中心にＸ軸とＹ軸とが延びる座標系で位置情報が表示される。カメラ設置位置計算が終了すると、モニタリングの準備が完了する。
【００３８】
次に、モニタリングソフトウェアについて説明する。
図７は、モニタリングソフトウェアによる不審な人物の検出処理のフローチャートの１例を示す。
モニタリングシステム１０は、カメラ１１を用いて常に精算機１及びその周辺の画像を撮影している。カメラ１１は、撮影した画像に対応する距離画像データを生成し（ステップＳ１）、入力部１３を介して、生成した距離画像データを画像処理部１４に出力する。
【００３９】
距離画像データを取得すると、画像処理部１４は、距離画像データを加工処理して距離画像データに対応する画像の背景を取り除く（ステップＳ２）。
【００４０】
距離画像データに対応する画像の背景を取り除くと、画像処理部１４は、上面図に対応する上面画像データを生成し（ステップＳ３）、上面画像データを抽出部１５に出力する。
【００４１】
上面画像データを取得すると、抽出部１５は、上面画像データに対応する画像上で移動する被写体に楕円を当てはめ（ステップＳ４）、当てはめた楕円の大きさが人物の大きさであるか否かを判断する（ステップＳ５）。
【００４２】
ステップＳ５において、楕円の大きさが人物の大きさで無いと判断すると（ステップＳ５：Ｎｏ）、モニタリングシステム１０は、ステップＳ１から一連の処理を繰り返す。
【００４３】
一方、ステップＳ５において、楕円の大きさが人物の大きさであると判断すると（ステップＳ５：Ｙｅｓ）、抽出部１５は、上面画像データの楕円の形状が人物の形状であるか否かを判断する（ステップＳ６）。
【００４４】
ステップＳ６において、楕円の形状が人物の形状で無いと判断すると（ステップＳ６：Ｎｏ）、モニタリングシステム１０は、ステップＳ１から一連の処理を繰り返す。
【００４５】
一方、ステップＳ６において、楕円の大きさが人物の大きさであると判断すると（ステップＳ６：Ｙｅｓ）、抽出部１５は、人物Ａが抽出された抽出画像データを生成して判断部１６に出力する。
【００４６】
抽出画像データを取得した判断部１６は、人物Ａが警戒領域Ｒ内にいるか否かを判断する（ステップＳ７）。
【００４７】
ステップＳ７において、人物Ａが警戒領域Ｒ内にいると判断すると（ステップＳ６：Ｎｏ）、モニタリングシステム１０は、ステップＳ１０の処理に移行する。
【００４８】
一方、ステップＳ７において、人物Ａが警戒領域Ｒにいないと判断すると（ステップＳ７：Ｎｏ）、判断部１６は、人物Ａがしゃがんでいるか否かを判断する（ステップＳ８）。このとき、人物Ａがしゃがんでいるか否かは、距離画像データに含まれていた人物Ａの高さに対応するデータに基づいて判断する。
【００４９】
ステップＳ８において、人物Ａがしゃがんでいると判断すると（ステップＳ８：Ｙｅｓ）、モニタリングシステム１０は、ステップＳ１０の処理に移行する。
【００５０】
一方、ステップＳ８において、人物Ａがしゃがんでいないと判断すると（ステップＳ８：Ｎｏ）、判断部１６は、人物Ａが複数人数であるか否かを判断する（ステップＳ９）。
【００５１】
ステップＳ９において、人物Ａが複数人数でないと判断すると（ステップＳ９：Ｎｏ）、モニタリングシステム１０は、ステップＳ１の処理に移行する。
【００５２】
一方、ステップＳ９において、人物Ａが複数人数であると判断すると（ステップＳ９：Ｙｅｓ）、判断部１６は、人物Ａの行動がステップＳ７乃至９の状態になってから所定の時間だけ経過したか否かを判断する（ステップＳ１０）。
【００５３】
ステップＳ１０において、所定の時間が経過していないと判断すると（ステップＳ１０：Ｎｏ）、モニタリングシステム１０は、ステップＳ１の処理に移行する。
【００５４】
一方、ステップＳ１０において、所定の時間が経過したと判断すると（ステップＳ１０：Ｙｅｓ）、モニタリングシステム１０は、コールセンターＣに不審人物がいる旨のアラートを出力（ステップＳ１１）し、一連の処理を終了する。このとき、コールセンターＣにいる人は、駐車場Ｐの状況をカメラ１１の画像や映像で確認し、必要に応じて駐車場Ｐ内のスピーカ２から音声やＬＥＤ回転灯等の光により警告する。
【００５５】
以上の処理により、判断部１６は、監視対象である精算機１の周囲に警戒領域Ｒを予め設定し、駐車場Ｐ内の人物Ａが警戒領域Ｒ内に位置するときに、人物Ａが不審であると判断することができる（ステップＳ７）。
【００５６】
また、判断部１６は、人物Ａの高さ方向の長さが、人物Ａがしゃがんでいると判断できる所定の長さ以下であるときに、人物Ａが不審であると判断することができる（ステップＳ８）。
【００５７】
さらに、判断部１６は、複数の人物Ａを抽出したときに、人物Ａが不審であると判断することができる（ステップＳ９）。
【００５８】
さらに、判断部１６は、不審であると判断される人物Ａの行動が誤認を防止し得る所定の時間以上続いたときのみに人物Ａが不審であると判断することにより、誤認を防止することができる。
【００５９】
本実施形態に係るモニタリングシステム１０は、監視対象である精算機１を撮影し、画像情報及び被写体までの距離情報を含む距離画像データを生成するカメラ１１と、生成された距離画像データに基づいて画像中の人物Ａを抽出する抽出部１５と、抽出した人物Ａが不審であるか否かを判断する判断部１６と、を備えている。これにより、画像に映った人物が不審であるか否かを判断することができるため、監視対象に対する犯罪行為に繋がる行動や利用方法に困っている行動を未然に検出することができる。
【００６０】
以上、一実施形態に基づいて本発明を説明してきたが、本発明はこれに限定されない。上記実施形態では、一フローチャート例に基づいて説明をしてきたが、本発明はこれに限定されない。モニタリングシステムは、対象物の位置、対象物の高さ、対象物の数、に時間軸情報を用いて、使用用途（精算機・ＡＴＭ等）や環境（レイアウト）に合わせて人物等の判断条件を設定し、対応を必要とする人物として、判断結果を用いて防犯だけでなく装置等の利用方法の補助等も行うようなフローチャートを作成してもよい。このときの判断条件の設定は、対象物の位置と対象物の高さと対象物の数と時間軸情報とを用いたり、対象物の位置と時間軸情報とを用いたり、対象物の位置と対象物の高さと時間軸情報とを用いたり、対象物の高さと時間軸情報とを用いたり、対象物の数と時間軸情報とを用いたり、対象物の高さと対象物の数と時間軸情報とを用いる等の組み合わせがある。すなわち、構成要素は４つあり、時間軸情報は必須な構成要素である。
【００６１】
また、例えば、上記実施形態では、駐車場Ｐの精算機１を監視対象としてモニタリングシステム１０を適用しているが、カメラを用いて監視することのできる監視対象であれば、コインパーキングでない駐車場、銀行やコンビニエンスストアのＡＴＭ、家屋、自動販売機等のその他の物を監視対象としてもよい。
【符号の説明】
【００６２】
１…精算機
２…スピーカ
３…通信機器
４…端末
１０…モニタリングシステム
１１…カメラ（撮影部）
１２…情報処理端末
１３…入力部
１４…画像処理部
１５…抽出部
１６…判断部
１７…出力部（通信部）
１８…演算部
１９…記憶部
１００…駐車場管理システム
Ａ…人物
Ｃ…コールセンター
Ｐ…駐車場
Ｒ…警戒領域
Ｓ…警備会社
【図１】
2020145524.tif 000003
【図２】
2020145524.tif 000004
【図３】
2020145524.tif 000005
【図４】
2020145524.tif 000006
【図５】
2020145524.tif 000007
【図６】
2020145524.tif 000008
【図７】
2020145524.tif 000009